【手続補正書】
【提出日】平成19年1月25日(2007.1.25)
【手続補正１】
【補正対象書類名】明細書
【補正対象項目名】発明の名称
【補正方法】変更
【補正の内容】
【発明の名称】ディジタル信号受信装置及びディジタル信号表示方法
【手続補正２】
【補正対象書類名】明細書
【補正対象項目名】特許請求の範囲
【補正方法】変更
【補正の内容】
【特許請求の範囲】
【請求項１】
情報データを含む信号を受信し、ブラウザを用いて上記情報データを表示手段に表示する受信処理装置部と、
上記受信処理装置部から上記信号に含まれている上記情報データを得てデータ記憶手段に格納すると共に、上記データ記憶手段に格納した上記情報データを必要に応じて読み出し上記受信処理装置部に供給することにより、上記ブラウザを用いて上記表示手段に表示させる配信情報記憶装置部と
を有し、
上記配信情報記憶装置部は、
上記データ記憶手段から上記情報データを読み出したとき、上記情報データに含まれる複数の情報項目を表すメニュー画面を生成する目次生成手段と、
上記メニュー画面を上記ブラウザが上記表示手段に表示できる信号形式の目次情報に形成する目次情報形成手段と
を具える
ことを特徴とするディジタル信号受信装置。
【請求項２】
上記情報データは放送空き時間を利用して伝送され、上記配信情報記憶装置部のデータ記憶手段に格納される
ことを特徴とする請求項１に記載のディジタル信号受信装置。
【請求項３】
上記受信処理装置部と上記配信情報記憶装置部との間で上記情報データを格納及び呼び出す際、暗号化及び暗号解読処理を行う
ことを特徴とする請求項１に記載のディジタル信号受信装置。
【請求項４】
上記情報データは所定の周期分繰り返して伝送されてくる
ことを特徴とする請求項１に記載のディジタル信号受信装置。
【請求項５】
上記情報データを上記配信情報記憶装置部のデータ記憶手段に格納する際、１周期分のデータだけを分離し格納させる
ことを特徴とする請求項４に記載のディジタル信号受信装置。
【請求項６】
上記目次生成手段は、ユーザの好みに応じた好み情報を入力することにより、各ユーザ毎のメニュー画面が生成される
ことを特徴とする請求項１に記載のディジタル信号受信装置。
【請求項７】
上記目次生成手段は、視聴したいコンテンツの優先順位等の情報を入力することにより、メニュー画面が生成される
ことを特徴とする請求項１に記載のディジタル信号受信装置。
【請求項８】
情報データを含む信号を受信し、該信号に含まれている上記情報データを得てデータ記憶手段に格納し、当該記憶手段に格納した上記情報データを必要に応じて読み出し、ブラウザを用いて表示手段に表示させると共に、
上記データ記憶手段から上記情報データを読み出したとき、上記情報データに含まれる複数の情報項目を表すメニュー画面を生成し、該生成したメニュー画面を上記ブラウザが上記表示手段に表示できる信号形式の目次情報に形成して、上記ブラウザを用いて表示手段に表示させる
ことを特徴とするディジタル信号表示方法。
【手続補正３】
【補正対象書類名】明細書
【補正対象項目名】０００１
【補正方法】変更
【補正の内容】
【０００１】
【発明の属する技術分野】
本発明はディジタル信号受信装置及びディジタル信号表示方法に関し、例えば有料のデータ情報、映像情報及び音声情報を含むディジタル信号を受信する場合に適用して好適なものである。
【手続補正４】
【補正対象書類名】明細書
【補正対象項目名】０００５
【補正方法】変更
【補正の内容】
【０００５】
本発明は以上の点を考慮してなされたもので、例えば放送空き時間を利用してソフトウェア情報をユーザ側に伝送しておき、ユーザがメニュー画面を見ながら都合の良い時間帯に自分が閲覧したい情報を簡易に選択できるようにしたディジタル信号受信装置及びディジタル信号表示方法を提案しようとするものである。
【手続補正５】
【補正対象書類名】明細書
【補正対象項目名】０００６
【補正方法】変更
【補正の内容】
【０００６】
【課題を解決するための手段】
かかる課題を解決するため本発明によるディジタル信号受信装置は、情報データを含む放送信号を受信し、ブラウザを用いて情報データを表示手段に表示する受信処理装置部と、受信処理装置部から放送信号に含まれている情報データを得てデータ記憶手段に格納すると共に、データ記憶手段に格納した情報データを必要に応じて読み出し受信処理装置部に供給することにより、ブラウザを用いて表示手段に表示させる配信情報記憶装置部とを有し、配信情報記憶装置部は、データ記憶手段から情報データを読み出したとき、情報データに含まれる複数の情報項目を表すメニュー画面を生成する目次生成手段と、メニュー画面をブラウザが表示手段に表示できる信号形式の目次情報に形成する目次情報形成手段とを具える。
また、本発明のディジタル信号表示方法は、情報データを含む放送信号を受信し、放送信号に含まれている情報データを得てデータ記憶手段に格納し、記憶手段に格納した情報データを必要に応じて読み出し、ブラウザを用いて表示手段に表示させると共に、データ記憶手段から情報データを読み出したとき、情報データに含まれる複数の情報項目を表すメニュー画面を生成し、生成したメニュー画面をブラウザが表示手段に表示できる信号形式の目次情報に形成して、ブラウザを用いて表示手段に表示させる。
本発明においては、受信処理装置によって受信した情報データをブラウザを介してライブモードで表示手段に表示すると共に、配信情報記憶装置部のデータ記憶手段に格納した後に必要に応じて読み出してブラウザを介して閲覧モードで表示手段に表示するようにした。
またデータ記憶手段に格納した情報項目について配信情報記憶装置部の目次生成手段によってメニュー画面を生成すると共に、当該メニュー画面を通常の放送受信信号を表示するのに必要なデータ放送信号の信号形式に形成し直すようにしたことにより、表示画面を作成するための専用のブラウザを用意するような必要性をなくし、かくしてディジタル信号受信装置を全体として一段と簡易化できる。
【手続補正６】
【補正対象書類名】明細書
【補正対象項目名】０００８
【補正方法】変更
【補正の内容】
【０００８】
図１において、１は全体としてディジタル信号受信装置を示し、放送局から伝送されて来た放送受信信号Ｓ１をセットトップボックスでなる受信処理装置２に受信して、必要に応じてユーザがリモートコントロール操作子３によって選択指定することにより、例えばテレビジョンＣＲＴ（Cathode Ray Tube）構成の表示装置４に供給して視聴できるようにすると共に、放送受信信号Ｓ１によって放送データとして配信されて来たソフトウェア情報をハードディスク構成の配信情報記憶装置５に蓄積できるようになされている。
【手続補正７】
【補正対象書類名】明細書
【補正対象項目名】００１０
【補正方法】変更
【補正の内容】
【００１０】
この実施の形態の場合、有料の放送情報を放送する場合、放送受信信号Ｓ１の所定のパケットによって、放送用暗号及びソフト用暗号を解凍するためのキーが伝送され、これによりユーザがこれらのキーを用いて所望の放送情報を解凍して視聴したとき後に課金処理をするようになされている。
【手続補正８】
【補正対象書類名】明細書
【補正対象項目名】００２６
【補正方法】変更
【補正の内容】
【００２６】
かくして目次生成回路３１において生成された目次情報Ｓ１７は、周期化回路３０、暗号処理回路２２の暗号化部２２Ｂ、暗号処理回路２１の暗号解読部２１Ｂを介して、デマルチプレクサデスクランブル回路１３に供給される。
【手続補正９】
【補正対象書類名】明細書
【補正対象項目名】００２７
【補正方法】変更
【補正の内容】
【００２７】
このようにして配信情報記憶部５からデマルチプレクサデスクランブル回路１３に供給された読出し情報Ｓ１６に含まれるＢＭＬデータ情報は、データ処理ユニット１１を介してＢＭＬブラウザ１６に与えられ、これにより読出情報Ｓ１５についてのデータ情報画面や、目次画面をグラフィックプロセッサ１５において生成させて表示装置４に表示できるような処理が実行される。
【手続補正１０】
【補正対象書類名】明細書
【補正対象項目名】００５４
【補正方法】変更
【補正の内容】
【００５４】
また、データ記憶装置２５に格納されている情報データの内容を表すメニュー画面を配信情報記憶装置５の目次生成回路３１において作成すると共に、当該メニュー画面を受信する放送受信信号Ｓ１と同じ信号形式に変換してグラフィックプロセッサ１５及びＢＭＬブラウザ１６に供給するようにしたことにより、メニュー画面を表示するために専用のブラウザを設けることなく放送受信信号Ｓ１の情報内容をテレビジョン受像機４に表示する際に使用されるブラウザ１６を用いて表示でき、これによりディジタル放送受信装置１全体としての構成を一段と簡易化し得る。